(57)【要約】      （修正有）【課題】従来型換気口装置を、自動強制・自然換気の両方を可能とする換気口装置を提供する。【解決手段】換気口装置の裏側にファン用の空気取り込み穴と自然通気用の穴を開けたボードを取り付ける。ボードにＤＣ小型ファンを取り付け、換気口内部に組み込む。日射時には、太陽光発電でファンを駆動させ換気し、夜間には自然換気をする。標準規格サイズで設計されているので、取替え交換が簡単。太陽光発電を使用する事で自動制御・ランニングコストゼロ、低電圧・低容量ゆえ安全面でも問題なく、そして地球環境にも優しい。【選択図】図１
0003132660.tif 000002
【実用新案登録請求の範囲】
【請求項１】
従来型換気口装置内部に太陽光発電で駆動するＤＣ小型ファンを組み込み、背面に通気性のあるパネルを取り付け、強制・自然両換気を行う装置。
【請求項２】
前記換気口装置は、太陽光発電より発生した電気エネルギーで強制換気を行う。日射時はファンによる強制換気を行い、夜間は自然換気を行う事を特徴とする請求項１記載の換気口装置。
【請求項３】
外観サイズは従来型換気装置と同形であるので、施工・設置が簡単に出来る装置である。
【考案の詳細な説明】
【発明の詳細な説明】
【産業上の利用分野】
【０００１】本発明は、施工・設置が簡単に出来る強制換気口装置（室内・床下・屋根裏その他）。太陽光発電の利用により維持管理の必要性がほとんどいらない。その上、強制換気・自然換気の両方が可能でありランニングコストがゼロの装置。常に換気が必要な床下・天井裏の換気に有効である、また無人の建物・施設に設置しても安全に動かす事が出来る。従来の機器と同じサイズで設計されているので取り付け・交換が簡単に出来る。しかも地球環境にも貢献できる装置である。
【背景技術】
【０００２】多くの住宅・施設で使用されている換気口装置は、自然通風を目的とする装置である。しかし、これでは微量の換気しか得られない。大量の換気を行うには強制換気口装置の設置が必要となる。昨今この問題を解決するために、悪徳リホーム業者による高額工事などで社会的な問題にもなっている。そして、当然ランニングコストも必要となる。
【発明が解決しようとする課題】
【０００３】この発明は、従来型換気口装置を改良する事で、簡単に自然・強制自動換気の両方を可能とする換気口装置。ランニングコストゼロ・無人制御・施工が簡単・地球環境に優しいなどを提供する換気口装置。
【課題を解決するための手段】
【０００４】以上の課題を解決するために、第一発明は、従来型の換気口背面にファンの空気取り込み穴と自然換気用の穴を開けたボードを取り付ける。このボードに小型ファンを取り付け、換気口内部に格納する。
第二発明は、太陽光発電を使用する事により小型ファンを自動起動することを特徴とする換気口装置である。
【発明の効果】
【０００５】第一発明によれば、通気性のあるパネルに小型ファンを取り付け内部に格納することで、日射時間にはファンが駆動し強制換気を行い、ファンが停止した時には従来同様、自然換気を行う。今回設計の８ｃｍ小型ファンの最大風量は１．０３立方ｍ／ｍｉｎ、６時間稼働で半分の効率とした時、換気風量は１８５．４立方ｍプラス自然通気量が得られる。従来型サイズ換気口にコンパクトにファンが格納されている為、施工設置も簡単・低コストで出来る。
第二発明によれば、太陽光発電（ＤＣ１２Ｖ・ＭＡＸ  ０．５Ａ）を直接接続する事により、発電容量大の時ファンが起動し発電容量が少なくなると停止する自動制御が出来る。配線工事も必要最低限で済む。低電圧・低容量発電ゆえ安全性も確保、そしてランニングコストゼロの自動強制換気口装置である。しかも、ＣＯ２削減・地球温暖化にも貢献できる。
バッテリーに蓄電、安定電圧でファンを駆動させる方法もあるが、設備の複雑さ管理の必要性などから、今回はあえてシンプルな形にまとめた物である。
【考案を実施するための最良の形態】
【０００６】この発明の一実施形態を、図１に示す。
換気口装置の本体１であり、換気口背面にファンの空気取り込み穴と自然通気用の穴を開けたプレート（金属または合成樹脂）を取り付ける。自然換気用の穴は、あまり小さいと埃が詰まるため、適度な大きさの穴を開ける。この背面ボードに小型ファンを取り付け本体１の内部に格納する。太陽光発電パネルは、仰角３０度〜４５度あれば十分な起電力が得られる。
【実施形態の効果】
【０００７】この実施形態によれば、太陽光発電（屋根又は障害物の無い壁面に設置）より電源供給を受け、ファンを自動起動させ強制換気を行う。強制換気により、大幅な風量を得ることが出来、家屋の湿気対策に大いに貢献できる。従来型規格サイズに納めた機器ゆえ、設置・施工が簡単にでき、しかも低コストの装置。安全面においても、高信頼度を得ることが出来る。
【図面の簡単な説明】
【０００８】
【図１】この発明の一実施形態丸型を示す側面図である。
【図２】従来技術を示す側面図丸型である。
【図３】この発明の一実施形態丸型を示す背面図である。
【図４】この発明の一実施形態太陽光パネル取り付けを示す側面図である。
【符号の説明】
【０００９】１．換気装置本体
２．高性能小型ファン（ＤＣ１２Ｖ）
３．背面取り付けボード
４．配線取り出し穴
５．通気穴
６．太陽光発電（ＤＣ１２Ｖ．ＭＡＸ０．５Ａ）
７．太陽光パネル取り付け金具
【図１】
0003132660.tif 000003
【図２】
0003132660.tif 000004
【図３】
0003132660.tif 000005
【図４】
0003132660.tif 000006
【手続補正書】
【提出日】平成18年11月30日(2006.11.30)
【手続補正１】
【補正対象書類名】実用新案登録請求の範囲
【補正対象項目名】全文
【補正方法】変更
【補正の内容】
【実用新案登録請求の範囲】
【請求項１】
従来型換気口装置内部に太陽光発電で駆動するＤＣ小型ファンを組み込み、背面に通気性のあるパネルを取り付け、強制・自然両換気を行う換気口装置。
【請求項２】
前記換気口装置は、日射時に太陽光発電より発生した電気エネル−でファンを駆動させ強制換気を行い、夜間は自然換気を行う事を特徴とする請求項１記載の換気口装置。
【請求項３】
外観サイズは従来型換気口装置と同形であるので、施工・設置が簡単に出来る換気口装置である。
【手続補正２】
【補正対象書類名】明細書
【補正対象項目名】全文
【補正方法】変更
【補正の内容】
【考案の詳細な説明】
【技術分野】
【０００１】本発明は、施工・設置が簡単に出来る換気口装置（室内・床下・屋根裏その他）。太陽光発電の利用により維持管理の必要性がほとんどいらない。その上、強制換気・自然換気の両方が可能でありランニングコストがゼロの換気口装置。常に換気が必要な床下・天井の換気に有効である、また無人の建物・施設に設置しても安全に動かす事が出来る。従来の機器と同じサイズで設計されているので取り付け・交換が簡単に出来る。
しかも地球環境にも貢献できる換気口装置である。
【背景技術】
【０００２】多くの住宅・施設で使用されている換気口装置は、自然通風を目的とする換気口装置である。しかし、これでは微量の換気しか得られない。大量の換気を行うには強制換気口装置の設置が必要となる。昨今この問題を解決するために、悪徳リホーム業者による高額工事などで社会的な問題にもなっている。そして、当然ランニングコストも必要となる。
【発明が解決しようとする課題】
【０００３】この発明は、従来型換気口装置を改良する事で、簡単に自然・強制自動換気の両方を可能とする換気口装置。ランニングコストゼロ・無人制御・施工が簡単・地球環境に優しいなどを提供する換気口装置。
【課題を解決するための手段】
【０００４】以上の課題を解決するために、第一発明は、従来型の換気口装置背面にファンの穴と自然換気の穴を開けたボードを取り付ける。このボードに小型ファンを取り付け、換気口内部に格納する。
第二発明は、太陽光発電を使用する事により小型ファンを自動起動することを特徴とする換気口装置である。
【発明の効果】
【０００５】第一発明によれば、通気性のあるパネルに小型ファンを取り付け内部に格納することで、日射時間にはファンが駆動し強制換気を行い、ファンが停止した時には従来同様、自然換気を行う。今回設計の８ｃｍ小型ファンの最大風量は１．０３立方ｍ／ｍｉｎ、６時間稼働で半分の効率とした時、換気風量は１８５．４立方ｍプラス自然通気量が得られる。従来型サイズ換気口にコンパクトにファンが格納されている為、施工設置も簡単・低コストで出来る。第二発明によれば、太陽光発電（ＤＣ１２Ｖ−ＭＡＸ  ０．５Ａ）を直接接続する事により、発電容量大の時ファンが起動し発電容量が少なくなると停止する自動制御が出来る。配線工事も必要最低限で済む。低電圧・低容量発電ゆえ安全性も確保、そしてランニングコストゼロの換気口装置である。しかも、ＣＯ２削減・地球温暖化にも貢献できる。
バッテリーに蓄電、安定電圧でファンを駆動させる方法もあるが、設備の複雑さ管理の必要性などから、今回はあえてシンプルな形にまとめた換気口装置である。
【考案を実施するための最良の形態】
【０００６】この発明の一実施形態を、図１に示す。
換気口装置の本体１であり、換気口背面にファンの空気取り込み穴と自然通気用の穴を開けたプレート（金属または合成樹脂）を取り付ける。自然換気用の穴は、あまり小さいと埃が詰まるため、適度な大きさの穴を開ける。この背面ボードに小型ファンを取り付け本体１の内部に格納する。太陽光発電パネルは、仰角３０度〜４５度あれば十分な起電力が得られる。
【実施形態の効果】
【０００７】この実施形態によれば、太陽光発電（屋根又は障害物の無い壁面に設置）より電源供給を受け、ファンを自動起動させ強制換気を行う。強制換気により、大幅な風量を得ることが出来、家屋の湿気対策に大いに貢献できる。従来型規格サイズに納めた機器ゆえ、設置・施工が簡単にでき、しかも低コストの装置。安全面においても、高信頼度を得ることが出来る。
【図面の簡単な説明】
【０００８】
【図１】この発明の一実施形態丸型を示す側面図である。
【図２】従来技術を示す側面図丸型である。
【図３】この発明の一実施形態丸型を示す背面図である。
【図４】この発明の一実施形態太陽光パネル取り付けを示す側面図である。
【符号の説明】
【０００９】１．換気口装置本体
２．高性能小型ファン（ＤＣ１２Ｖ）
３．背面取り付けボード
４．配線取り出し穴
５．通気穴
６．太陽光発電（ＤＣ１２Ｖ．ＭＡＸ０．５Ａ）
７．太陽光パネル取り付け金具
【手続補正書】
【提出日】平成19年2月28日(2007.2.28)
【手続補正１】
【補正対象書類名】実用新案登録請求の範囲
【補正対象項目名】全文
【補正方法】変更
【補正の内容】
【実用新案登録請求の範囲】
【請求項１】
従来型換気口装置内部に太陽光発電で駆動するＤＣ小型ファンを組み込み、背面に通気性のあるパネルを取り付け、強制・自然両換気を行う換気口装置。
【請求項２】
前記換気口装置は、日射時に太陽光発電より発生した電気エネルギーでファンを駆動させ強制換気を行い、夜間は自然換気を行う事を特徴とする請求項１記載の換気口装置。
【請求項３】
外観サイズは従来型換気口装置と同形であるので、施工・設置が簡単に出来る請求項１記載の換気口装置。
【手続補正２】
【補正対象書類名】手続補正書
【補正対象項目名】手続補正３
【補正方法】削除
【補正の内容】